(57)【要約】【課題】長尺状テープを離型紙で梱包してなる梱包物であって、輸送したときに衝撃が加わっても、その内部の長尺状テープが変形し難い梱包物の提供。【解決手段】熱可塑性樹脂組成物からなる長尺状テープを離型紙で梱包してなる梱包物であって、前記長尺状テープの長手方向の両端の外側に、各々、スペーサーを備え、前記スペーサーにおける前記長尺状テープの端面に対向する面は平面で、かつ、離型性を備え、前記スペーサーの幅および厚さは前記長尺状テープの幅および厚さに対して１〜２ｍｍ大きく、外部から応力が加わっても、その内部の前記長尺状テープが変形しないように構成されていることを特徴とする梱包物。【選択図】図１
2017047933.tif 000002
【特許請求の範囲】
【請求項１】
熱可塑性樹脂組成物からなる長尺状テープを離型紙で梱包してなる梱包物であって、
前記長尺状テープの長手方向の両端の外側に、各々、スペーサーを備え、
前記スペーサーにおける前記長尺状テープの端面に対向する面は平面で、かつ、離型性を備え、前記スペーサーの幅および厚さは前記長尺状テープの幅および厚さに対して１〜２ｍｍ大きく、
外部から応力が加わっても、その内部の前記長尺状テープが変形しないように構成されていることを特徴とする梱包物。
【請求項２】
前記熱可塑性樹脂組成物がブチルゴムを主成分とし、
前記長尺状テープの２５℃におけるアスカーＣ硬度が６０以下である、請求項１に記載の梱包物。
【発明の詳細な説明】
【技術分野】
【０００１】
本発明は長尺状テープを離型紙で梱包してなる梱包物に関する。
【背景技術】
【０００２】
従来、例えば通信ケーブル外被接続部の気密性の向上を図るために、長尺状のシーリングテープが用いられている。
例えば、特許文献１には、ブチルゴム１０〜３０重量部とクロスリンクブチルゴム７０〜９０重量部からなるゴム分１００重量部に対し、流動パラフィン６０〜８０重量部配合してなる通信ケーブル接続用シール材が記載されている。
また、例えば、特許文献２には、建築物等の所定貼付位置に貼着されるブチルゴム粘着性部材からなる粘着テープ部とこれを覆って剥離可能に貼着されるセパレータとからなるシール材であって、前記セパレータの下面の中央部にブチルゴム粘着性部材が貼着されるとともに、前記セパレータが、前記粘着テープ部の貼着位置を目視可能な透明または半透明の素材から形成されることを特徴とするシール材が記載されている。
【０００３】
そして、その長尺状テープを輸送する際は、長尺状テープを保護するために、これを離型紙で梱包し、梱包物としていた。この梱包物について図２を用いて説明する。
図２は、長尺状テープを離型紙で梱包した梱包物２０の概略図である。
図２（ａ）は、長尺状テープ１を離型紙５の上に載置した状態を示している。図２（ａ）における離型紙５を矢印の方向に折り込み、外側から適宜、汎用テープ７を離型紙５に張り付けて、図２（ｂ）に示すように、離型紙５によって長尺状テープを内部に含むように梱包することができる。図２（ｃ）は梱包して得た梱包物２０の断面図（図２（ｂ）におけるＢ−Ｂ線断面図）である。
【先行技術文献】
【特許文献】
【０００４】
【特許文献１】特開平２−２４６７２２号公報
【特許文献２】特許３９２１２７６号公報
【発明の概要】
【発明が解決しようとする課題】
【０００５】
従来、図２に示した梱包物２０を輸送する際は、梱包物２０を複数、例えば数十から数百個程度、段ボールに詰め、その後、輸送していた。
しかしながら、輸送後に段ボールを開け、離型紙内から長尺状テープを取り出してみると、輸送の衝撃によって、長尺状テープが厚さ方向や幅方向に潰れ、変形してしまう場合があった。特に、長尺状テープの端部は顕著に潰れる場合が多かった。
【０００６】
本発明は上記のような課題を解決することを目的とする。すなわち、本発明の目的は、長尺状テープを離型紙で梱包してなる梱包物であって、輸送の際の衝撃が加わっても、その内部の長尺状テープが変形し難い梱包物を提供することを目的とする。
【課題を解決するための手段】
【０００７】
本発明者らは、上記課題を解決するための鋭意検討を重ね、本発明を完成させた。
本発明は、熱可塑性樹脂組成物からなる長尺状テープを離型紙で梱包してなる梱包物であって、前記長尺状テープの長手方向の両端の外側に、各々、スペーサーを備え、前記スペーサーにおける前記長尺状テープの端面に対向する面は平面で、かつ、離型性を備え、前記スペーサーの幅および厚さは前記長尺状テープの幅および厚さに対して１〜２ｍｍ大きく、外部から応力が加わっても、その内部の前記長尺状テープが変形しないように構成されていることを特徴とする梱包物である。
このような梱包物を、以下では「本発明の梱包物」ともいう。
【０００８】
本発明の梱包物は、前記熱可塑性樹脂組成物がブチルゴムを主成分とし、前記長尺状テープの２５℃におけるアスカーＣ硬度が６０以下であることが好ましい。
【発明の効果】
【０００９】
本発明によれば、長尺状テープを離型紙で梱包してなる梱包物であって、輸送したときに衝撃が加わっても、その内部の長尺状テープが変形し難い梱包物を提供することができる。
【図面の簡単な説明】
【００１０】
【図１】図１は本発明に相当する梱包物の概略図である。
【図２】図２は従来品に相当する梱包物の概略図である。
【図３】図３は従来品を改良した梱包物の概略図である。
【図４】図４は図３に示した態様を輸送した後の長尺状テープの写真である。
【発明を実施するための形態】
【００１１】
初めに、本発明の梱包物における長尺状テープについて説明する。
本発明の梱包物において長尺状テープは、例えば通信ケーブル外被接続部の水気密性の向上を図るために用いられるシーリングテープとしても用いることができる。また、各種のゴム、プラスチック、金属、ガラス、木材、コンクリート等の同種または異種のジョイント部のシール材として用いることもできる。その他、パイプ防食テープ、防振・制振材、半導電性テープ、絶縁テープなどとして用いることもできる。
【００１２】
長尺状テープの長さ等は特に限定されないが、例えば、幅（α）は５〜５０ｍｍ、厚さ（β）は１〜５ｍｍ、長手方向の長さは１００〜５００ｍｍであってよい。
なお、幅（α）、厚さ（β）については後に図１を用いて説明する。
【００１３】
長尺状テープは熱可塑性樹脂組成物からなる。
熱可塑性樹脂組成物は特に限定されないが、ブチルゴムを主成分とするものであることが好ましい。主成分とは２０質量％以上含むことを意味する。すなわち、本発明の梱包物における熱可塑性樹脂組成物は、ブチルゴムを２０質量％以上含むことが好ましい。熱可塑性樹脂組成物におけるブチルゴムの含有率は３０質量％以上であることがより好ましく、４０質量％以上であることがより好ましく、５０質量％以上であることがより好ましく、５５質量％以上であることがさらに好ましい。
【００１４】
ブチルゴムは従来公知のイソブチレンとイソプレンの共重合体であってよいが、未架橋型であることが好ましい。未架橋型のブチルゴムを、一般的にレギュラーブチルと呼ぶ場合もある。ただし、前記熱可塑性樹脂組成物は架橋型のブチルゴムであるクロスリンクブチルゴムを含んでもよい。架橋型であるクロスリンクブチルゴムとして、例えばポリサーブチルＸＬ−２０（ポリサー社製）が挙げられる。
【００１５】
前記熱可塑性樹脂組成物が含むブチルゴム以外の成分として、可塑剤（流動パラフィン等）、カーボンブラック、老化防止剤、粘着付与材、充填材等が挙げられる。
【００１６】
前記熱可塑性樹脂組成物の好ましい組成として、ブチルゴム１００質量部に対して、可塑剤１０〜２００質量部、カーボンブラック１０〜１５０質量部および老化防止剤０．０５〜３質量部を含むものが挙げられる。
【００１７】
長尺状テープは、上記のような熱可塑性樹脂組成物を例えば従来公知の方法によって成形して得ることができる。
【００１８】
本発明の梱包物は、柔らかい長尺状テープに好ましく用いることができる。一般的に柔らかい長尺状テープは、輸送時に、その衝撃によって変形しやすいが、本発明の梱包物は長尺状テープが柔らかいものであっても変形し難い。
ここで柔らかい長尺状テープとは、日本ゴム協会規格のアスカーＣ硬度（２５℃）が６０以下のものを意味するものとする。前記熱可塑性樹脂組成物がブチルゴムを主成分とするものであって未加硫タイプであると、このような硬度となる場合がある。この場合、粘着力も強くフローしやすい傾向がある。
長尺状テープのアスカーＣ硬度（２５℃）は、３５以下であることが好ましい。
【００１９】
長尺状テープの２つの主面には、主面とほぼ同じ大きさの極薄いビニール製のフィルムを付けることが好ましい。
【００２０】
本発明の梱包物について図１を用いて説明する。
図１（ａ）は、上記のような長尺状テープ１を離型紙５の上に載置し、その長手方向の両端の外側に、各々、長尺状テープ１を挟むように２つのスペーサー１００を載置した状態を示している。
【００２１】
離型紙５は特に限定されず、例えば従来公知のもの（例えばクラフト紙）を用いることができる。その大きさ等も限定されず、図１に示すように、長尺状テープ１と２つのスペーサー１００とを、その内部に含むように包むことができるものであればよい。
【００２２】
スペーサー１００は図１に示すように略直方体であることが好ましいが、例えば、長尺状テープ１の端面１１に対向する面１０１と対抗する面（最も外側の面）が曲面等であってもよい。
これに対して、長尺状テープ１の端面１１に対向する面１０１は平面である。また、図１（ｃ）に示すように、梱包物１０内においては、面１０１が離型紙５に対して略垂直であることが好ましい。よって、スペーサー１００は図１に示すように略直方体であることが好ましい。
【００２３】
スペーサーの大きさ等は特に限定されないが、スペーサー１００の幅α’は、長尺状テープ１の幅αに対して１〜２ｍｍ長いことが好ましい。また、スペーサー１００の厚さβ’は、長尺状テープ１の厚さβに対して１〜２ｍｍ長いことが好ましい。さらに、スペーサー１００における、長尺状テープ１の長手方向に平行な方向の長さγ’は、５〜３０ｍｍであることが好ましい。
スペーサーの幅α’厚さβ’、長さγ’が上記のような範囲であると、本発明の梱包物を輸送したときに衝撃が加わっても、その内部の長尺状テープがより変形し難いからである。
【００２４】
スペーサー１００は、その表面に離型紙を巻いたものであることが好ましい。長尺状テープ１の面１１とスペーサー１００の端面１０１とが付いても、容易に剥離することができるからである。
【００２５】
スペーサー１００の材質は特に限定されないが、例えば発泡体（発泡スチロール等）は加工性が良好であるため好ましく用いることができる。
【００２６】
図１（ａ）における離型紙５を矢印の方向に折り込み、外側から適宜、汎用テープ７を離型紙５に張り付け、図１（ｂ）に示すように、離型紙５によって長尺状テープ１および２つのスペーサー１００を内部に含むように梱包して、本発明の梱包物（梱包物１０）を得ることができる。図１（ｃ）は梱包して得た梱包物１０の断面図（図１（ｂ）におけるＡ−Ａ線断面図）である。
【実施例】
【００２７】
以下に、実施例を示して本発明を具体的に説明する。ただし、本発明は実施例に限定されない。
【００２８】
長尺状テープを離型紙で梱包してなる梱包物を３つ（梱包物１０、梱包物２０および梱包物３０）用意した。これらの梱包物において異なるところは、スペーサーの有無またはスペーサーの形状であり、その他については同一である。
【００２９】
梱包物１０、梱包物２０および梱包物３０の各々が梱包している長尺状テープ１は、いずれも同一であり、ブチルゴム（ＥＸＸＯＮ  ＢＵＴＹＬ、Ｇｒａｄｅｓ：３６５）を４５質量％、可塑剤を３５質量％、カーボンブラックを２０質量％および老化防止剤を０．５質量％からなる熱可塑性組成物を混合した後、成型して得たものである。また、長尺状テープ１の幅（α）は３０ｍｍ、厚さ（β）は３ｍｍ、長手方向の長さは４００ｍｍである。また、長尺状テープ１の２０℃および２５℃におけるアスカーＣ硬度を測定したところ、各々３５および３０であった。よって、この長尺状テープは柔らかいテープといえる。さらに、長尺状テープ１の２つの主面には、主面とほぼ同じ大きさの極薄いビニール製のフィルム３が付いている。
【００３０】
梱包物１０について図１を用いて説明する。
図１（ａ）は、長尺状テープ１を離型紙５の上に載置し、その長手方向の両端の外側に、各々、長尺状テープ１を挟むように２つのスペーサー１００を載置した状態を示している。スペーサー１００は略直方体であり、長尺状テープ１の端面１１に対向する面１０１は平面である。また、スペーサー１００の幅α’は、長尺状テープ１の幅αに対して１〜２ｍｍ大きく、同様に、スペーサー１００の厚さβ’は、長尺状テープ１の厚さβに対して１〜２ｍｍ長い。また、スペーサー１００における、長尺状テープ１の長手方向に平行な方向の長さγ’は１０ｍｍである。さらに、スペーサー１００は発泡体の表面に離型紙を巻いたものであり、長尺状テープ１の面１１とスペーサー１００の端面１０１とが付いても、容易に剥離することができる。
そして、図１（ａ）における離型紙５を矢印の方向に折り込み、外側から適宜、汎用テープ７を離型紙５に張り付けて、図１（ｂ）に示すように、離型紙５によって長尺状テープ１および２つのスペーサー１００を内部に含むように梱包した。
図１（ｃ）は梱包して得た梱包物１０の断面図（図１（ｂ）におけるＡ−Ａ線断面図）である。
【００３１】
梱包物２０について図２を用いて説明する。
図２（ａ）は、図１（ａ）の場合と同様に長尺状テープ１を離型紙５の上に載置した状態を示しているが、梱包物１０の場合と異なり、２つのスペーサー１００を備えない。
図２（ａ）における離型紙５を矢印の方向に折り込み、外側から適宜、汎用テープ７を離型紙５に張り付けて、図２（ｂ）に示すように、離型紙５によって長尺状テープ１を内部に含むように梱包した。
図２（ｃ）は梱包した後の梱包物２０の断面図（図２（ｂ）におけるＢ−Ｂ線断面図）である。
【００３２】
梱包物３０について図３を用いて説明する。
図３（ａ）は、図１（ａ）の場合と同様に、長尺状テープ１を離型紙５の上に載置し、その長手方向の両端の外側の各々に、長尺状テープ１を挟むように２つのスペーサー３００を載置した状態を示している。ただし、図１の場合と形状が異なり、スペーサー３００は断面が楕円状のものである。よって、長尺状テープ１の端面１１に対向する面３０１は曲面である。また、スペーサー３００の幅α’’は、長尺状テープ１の幅αに対して１〜２ｍｍ大きく、同様に、スペーサー３００の厚さβ’’は、長尺状テープ１の厚さβに対して１〜２ｍｍ長い。さらに、スペーサー３００は段ボールの表面に離型紙を巻いたものであり、長尺状テープ１の面１１とスペーサー３００の端面３０１とが付いても、容易に剥離することができる。
そして、図３（ａ）における離型紙５を矢印の方向に折り込み、外側から適宜、汎用テープ７を離型紙５に張り付けて、図３（ｂ）に示すように、離型紙５によって長尺状テープ１および２つのスペーサー３００を内部に含むように梱包した。
図３（ｃ）は梱包した後の梱包物３０の断面図（図３（ｂ）におけるＣ−Ｃ線断面図）である。
【００３３】
このような梱包物１０、梱包物２０および梱包物３０を、各々、１００個用意し、各々、段ボールに詰めて輸送した。そして、梱包物１０を１００個詰めた段ボール、梱包物２０を１００個詰めた段ボール、および梱包物３０を１００個詰めた段ボールの各々を、トラックによって輸送した。
【００３４】
輸送後、各段ボールを開け、各梱包物内の長尺テープの状態を確認した。
その結果、梱包物１０の場合、長尺状テープ１は全く変形していなかった。
これに対して梱包物２０の場合、長尺状テープ１は厚さ方向に潰れた。特に端面１１の付近は顕著に潰れた。
また、梱包物３０の場合、図４に示すように、スペーサー３００が長尺状テープ１の端面１１へ食い込み、長尺状テープ１は変形していた。
【符号の説明】
【００３５】
１：長尺状テープ、１１：長尺状テープの端面、５：離型紙、７：汎用テープ、１０：梱包物、２０：梱包物、３０：梱包物、１００：スペーサー、３００：スペーサー、１０１：スペーサーの端面、３０１：スペーサーの端面、α’：スペーサーの幅、α’’：スペーサーの幅、α：長尺状テープの幅、β’：スペーサーの厚さ、β’’：スペーサーの厚さ、β：長尺状テープの厚さ、γ’：スペーサーの長さ
【図１】
2017047933.tif 000003
【図２】
2017047933.tif 000004
【図３】
2017047933.tif 000005
【図４】
2017047933.tif 000006